(57)【要約】【課題】本発明は、潜水浮きと釣り糸との連結部分（詳しくは掛止孔）と潜水浮きの本体が破れる現象を予め防止できる海釣り用潜水浮きを提供する。【解決手段】本発明は、内側に凹溝がそれぞれ形成され、周縁にフランジが一体的に形成された左・右側ハウジング１０１、１０２と、前記左・右側ハウジングの凹部によって形成される空間内に収容された重量体１２０と、前記左・右側ハウジングのフランジ上部に形成された掛止孔１３０と、前記左・右側ハウジングの凹溝と前記重量体との間に充填された液状充填材と、前記掛止孔が破れても掛止孔から釣り糸が分離しないように掛止孔の周囲部に配設された補強環１４０を備えている。【選択図】      図６
0003101643.tif 000002
【実用新案登録請求の範囲】
【請求項１】
内側に凹溝がそれぞれ形成され、周縁にフランジが一体的に形成された左・右側ハウジングと、前記左・右側ハウジングの凹部によって形成される空間内に収容された重量体と、前記左・右側ハウジングのフランジ上部に形成された掛止孔と、前記左・右側ハウジングの凹溝と前記重量体との間に充填された液状充填材と、前記掛止孔が破れても掛止孔から釣り糸が分離しないように掛止孔の周囲部に配設された補強環を備えていることを特徴とする海釣り用潜水浮き。
【請求項２】
前記左右側ハウジングにそれぞれ形成されたフランジには多数の補助掛止孔が形成されていることを特徴とする請求項1に記載の海釣り用潜水浮き。
【請求項３】
前記重量体はタングステンからなることを特徴とする請求項1に記載の海釣り用潜水浮き。
【請求項４】
前記液状充填材は色素を添加したものを特徴とする請求項1に記載の海釣り用潛水浮き。
【請求項５】
前記液状充填材はラメ粉末を添加したものを特徴とする請求項1に記載の海釣り用潛水浮き。
【考案の詳細な説明】
【技術分野】
【０００１】
本考案は海釣り用潜水浮きに関するもので、更に詳しくは海中の岩などにかからないだけでなく、海水の汚染を防止することができ、釣り糸と潜水浮きとを連結する掛止孔が破れても釣り糸と潜水浮きが離脱(または分離)しない海釣り用潜水浮きに関するものである。
【背景技術】
【０００２】
一般的に釣りを行う時はさまざまな方法を備えて釣りを行い、釣りリグや釣りを行う場所によってさまざまなリグ(rig)を変えて釣りを行う。
【０００３】
このようなさまざまの釣り技法中にひとつの全流動技法に主に使われる潜水浮きを利用する釣り方法は図１に示したように釣竿１とこの釣竿１に繋がれた釣り糸２と、前記釣り糸２に繋がれた孔浮き３とこの孔浮き３の下部に繋がれた潜水浮き４と、前記潜水浮き４の下部にスイベル５（swivel)によって繋がれたリグ６（rig）から構成されている。
【０００４】
前記全流動技法とは、水中の全層のタナを探索して魚を誘引して釣りを行う技法であって、早い潮流の影響によって潜水浮きの重さを調節してリグ６を自然に操作して魚の当りを早く誘導するための技法である。
【０００５】
前記潜水浮き４に対して、更に詳しく説明すれば、浮きと鉛棒の機能とを兼備している浮きであって水面にリグを垂れれば浮力に比べて重さが更に重くなることによって餌及びリグ６の下降速度によって漸次的に下がって底まで沈む海釣り専用浮きの一つであって、リグ６がうまく沈まず水面上層に向かって浮び上がらなくて一般ルアー釣りが試みにくい時、潜水浮き４を利用して使えば効果が得られ、また潮流が荒い岬(湖もつけ海水の方に突き出している所または渚の地形が尖ったように突出している所を言う)の潮目（current rip）や本流と支流とが接するか、または支流と支流とが接する潮境地帯、水深の深い所の初入部または垂直潮流が確かな箇所で効果が卓越である。
【０００６】
このような潜水浮きは従来鉛棒や木材からなっているものを主に使ったが、前記鉛棒の場合、海水中の塩分と鉛棒の鉛が反応して有害な鉛成分が水中に分解されることで、釣り中に水を汚染させるだけでなく、鉛棒が離れる場合には鉛棒の鉛成分が完全分解されるまで持続的に海水を汚染させる問題があり、鉛棒を扱う時釣りする人の手に鉛成分が付着して手が汚れることはもちろん鉛成分を摂取する場合、健康に悪影響を及ぼすなどさまざまな問題点があった。
【０００７】
このような、さまざまな問題点に鑑みて木材材質や合成樹脂材からなる潜水浮きを使うこともできるが、このような潜水浮きの場合には潮力による浮力を調節しにくいという問題点があった。
【０００８】
このような問題点を解決するために本出願人が出願した下記特許文献１に開示されている海釣り用潜水浮きがある。
【０００９】
同公報に開示されている海釣り用潜水浮きは図２及び図３に示したようにウレタン材質からなるボディー３０と、前記ボディー３０の上部にこのボディー３０と一体化して形成された掛止孔３１と、前記ボディー３０の内部に充填された液状充填材３２と、前記ボディー３０内部に収容された重量体３３を具備している。
【００１０】
このように構成された従来の海釣り用潜水浮きはボディー３０がウレタン材質からなって内部に液状充填材３２が充填されているので、前記ボディー３０が伸縮性があって潜水浮きが岩などに根がかりした際岩からスムーズに回収可能であり、また前記ボディー３０の上部に形成された掛止孔３１に釣り糸を使って潜水浮きを釣り糸に結合することができるから、初歩者も容易に潜水浮きを利用して海釣りができる。
【特許文献１】韓国登録実用新案第２０−０２９９１１４号明細書（２００３年１月３日公開）
【考案の開示】
【考案が解決しようとする課題】
【００１１】
しかし、前記のように構成された従来の海釣り用潜水浮きは、前記ボディー３０の上端に形成された前記掛止孔３１に釣り糸を結んで釣り手が釣り糸を引っ張るか投げる動作を繰り返せば前記ボディー３０の材質が軟性であるウレタン材質からなっているので、掛止孔３１に縛られた釣り糸によって掛止孔３１の上側部の破れる現象が頻繁に発生し、また潜水浮きが水中の底に落ちる時の衝撃により軟性であるウレタン材質になった潜水浮きの左右側ハウジングが破損される現象が頻繁に発生して潜水浮きを新品に入れ替らなければならないという不具合があった。また、多数の潜水浮きを購買するのに必要な費用が増加するなどさまざまな問題点があった。
【００１２】
したがって, 本考案は前記のようなさまざまな問題点を解決するために案出されたことで、本考案の目的は潜水浮きと釣り糸との連結部分(具体的には掛止孔)が破れない海釣り用潜水浮きを提供することにある。
【００１３】
本考案の他の目的は、潜水浮きの左右側ハウジングが破損される現象を予め防止することができる海釣り用潜水浮きを提供することにある。
【００１４】
本考案のまた他の目的は海水の汚染を防止することのできる海釣り用潜水浮きを提供することにある。
【課題を解決するための手段】
【００１５】
前記目的を達成するために本考案は、内側に凹溝がそれぞれ形成されて周縁にフランジが一体的に形成された左・右側ハウジングと、前記左・右側ハウジングの凹部によって形成される空間内に収容された重量体と、前記左・右側ハウジングのフランジ上部に形成された掛止孔と、前記左・右側ハウジングの凹溝と前記重量体との間に充填された液状充填材と、前記掛止孔が破れても掛止孔から釣り糸が分離しないように掛止孔の周囲に形成された収容溝内に配設された補強環を具備したことを特徴とする。
【００１６】
前記のように構成された本考案の海釣り用潜水浮きは釣り糸と潜水浮きとを連結する掛止孔の周囲部に補強環が配設されているので、掛止孔が破れても前記補強環によって釣り糸と潜水浮きとの連結を堅固に維持することができ、潜水浮き周縁にフランジが形成されて潜水浮きが水中の底に落ちる時の衝撃を吸収して潜水浮きの左右側ハウジングが破損されることを防止することができる。
【００１７】
これによって釣り手が釣り糸を投げるか引く動作を繰り返しても釣り糸と潜水浮きが互いに分離されず、また一つの潜水浮きを利用して長期間釣りができるので、釣り浮きの損失を防止することができて釣り浮きの購買費用を節減することができる。
【考案の効果】
【００１８】
前記したように本考案の海釣り用潜水浮きによれば、釣り糸と潜水浮きを連結する掛止孔の周囲に形成された凹溝内に補強環が配設されているので、釣りを行う途中に掛止孔が破れることによって潜水浮きと釣り糸が掛止孔から離脱をあらかじめ防止するだけではなく、潜水浮きの左右側ハウジングの周縁にフランジが形成されて潜水浮きが水中の底に落ちる時の衝撃を吸収して潜水浮きの左右側ハウジングの破損を防止することができ、また重量体として鉛を使わないので、海水の汚染を防止することができるという優れた効果がある。
【考案を実施するための最良の形態】
【００１９】
以下、本考案の一実施例による海釣り用潜水浮きの構成に関して添付図面を参照して詳しく説明する。
【００２０】
図４は本考案の一実施例による海釣り用潜水浮きを概略的に示した斜視図である。
【００２１】
図５は本考案の一実施例による海釣り用潜水浮きにおいて右側ハウジング内に重量体が配設された状態を示した斜視図であり、図６は本考案の一実施例による海釣り用潜水浮きを分解して示した分解斜視図である。
【００２２】
本考案の一実施例による海釣り用潜水浮き１００は図４ないし図６に示したように本考案の一実施例による海釣り用潜水浮き１００左・右側ハウジング１０１、１０２は内側に凹溝１０３、１０４がそれぞれ形成されていて, 前記凹溝１０３、１０４の周縁にはフランジ１５０ａ、１５０ｂが一体的にそれぞれ形成されている。
【００２３】
前記左・右側ハウジング１０１、１０２の凹部１０３、１０４によって形成される空間内には本考案の海釣り用潜水浮き１００が海水の中に沈むように重量体１２０が収容されていて、前記左・右側ハウジング１０１、１０２のフランジ１５０ａ、１５０ｂ上部には掛止孔１３０が形成されている。
【００２４】
そして、前記左・右側ハウジング１０１、１０２の凹溝１０３、１０４と前記重量体１２０との間に液状充填材１１０が充填されていて、前記掛止孔１３０が破れても掛止孔１３０から釣り糸が分離しないように、掛止孔１３０の周囲（図６における点線表示部分）には補強環１４０が配設（埋め立て）されている。
【００２５】
前記補強環１４０は前記左・右側ハウジング１０１、１０２の開口部側を互いに当接させて前記フランジ１５０ａ、１５０ｂを高周波溶着させる前に前記掛止孔１３０の周囲に配置し、前記重量体１２０は前記左・右側ハウジング１０１、１０２にそれぞれ形成された凹溝１０３、１０４内に嵌め込んでいる。
【００２６】
次に、本考案の海釣り用潜水浮き１００の製造過程を説明する。
【００２７】
先ず、前記左・右側ハウジング１０１、１０２にそれぞれ形成された凹溝１０３、１０４のいずれか一つに前記重量体１２０を入れた後、前記左・右側ハウジング１０１、１０２の上部に突出したフランジ１５０ａ、１５０ｂに形成された掛止孔１３０の周囲に前記補強環１４０を配置させる。
【００２８】
次に、前記左・右側ハウジング１０１、１０２にそれぞれ形成されたフランジ１５０ａ、１５０ｂを互いに当接させた後に高周波溶着して前記左側及び右側ハウジング１０１、１０２を接合する。
【００２９】
そして、前記左側及び右側ハウジング１０１、１０２の凹溝１０３、１０４によって形成された空間内には注射器などを利用して液状充填材１１０を充填する。前記液状充填材１１０は色素を添加し多様な色相を現わせる。又、ラメ粉末を添加して光を發せる効果を示すこともできる。
【００３０】
前記液状充填材１１０を充填するために前記左側及び右側ハウジング１０１、１０２に形成された注射針穴（図示せず）は高周波溶着により閉鎖する。
【００３１】
このように製造された本考案の一実施例による海釣り用潜水浮き１００は前記左側及び右側ハウジング１０１、１０２の上端側に形成された掛止孔１３０の周囲部に補強環１４０が埋め立てられているので図示しない釣り糸と潜水浮き１００との連結部が堅固で釣りを行う途中に潜水浮き１００を海水の中に多数回投げても潜水浮き１００が釣り糸から離脱しない。
【００３２】
すなわち、前記釣り糸が掛けられる部分である前記掛止孔１３０の周囲部に補強環１４０が埋め立てられているから、釣り手が釣り糸を投げるか引っぱる過程で釣り糸がかけられた掛止孔１３０の一部が破れてもこの掛止孔１３０の配設された補強環１４０によって釣り糸は掛止孔１３０の外側に離脱しないから、釣り糸と潜水浮き１００が堅固に繋がれる。
【００３３】
図７は本考案の他の実施例による海釣り用潜水浮きを示した斜視図である。
【００３４】
図７に図示したように前記左側及び右側ハウジング１０１、１０２の縁に形成されたフランジ１５０ａ、１５０ｂに釣り糸をかけて使用できるように補助掛止孔１６０が多数形成されている。
【００３５】
前記フランジ１５０ａ、１５０ｂは補助掛止孔１６０を形成するようにする作用以外に潜水浮き１００が海の底に触れる時の衝撃を吸収する緩衝作用をも兼ねる。
【００３６】
前記補助掛止孔１６０を利用して釣り手は必要によって掛止孔１３０以外に補助掛止孔１６０に釣り糸または別途の重量体を付加的にぶら下げて使うことができる。また、前記左側及び右側ハウジング１０１、１０２の内部に収容される重量体１２０の材質はタングステン、鉄、銅などの金属または非鉄金属を使うことができるが、タングステンを使うことが望ましい。
【００３７】
その理由としては前記重量体１２０の材質が鉛の場合、環境汚染、海水汚染を起こす原因になることができるので、これをタングステンで代用することで鉛の毒性を防止することができる。
【００３８】
前記説明において、特定実施例を挙げて説明したが、本考案はここに限定せず、例えば本考案の概念を離脱しない範囲内でこの技術分野の通常の知識を持った者によっていろいろに設計変更することができることは勿論である。
【産業上の利用可能性】
【００３９】
前記したように本考案の海釣り用潜水浮きによれば、釣り糸と潜水浮きを連結する掛止孔の周囲部に補強環が配設されているので、釣りを行う途中に掛止孔が破れることによって潜水浮きと釣り糸が掛止孔から離脱をあらかじめ防止するだけではなく、潜水浮きの左右側ハウジングの周縁にフランジが形成されて潜水浮きが水中の底に落ちる時の衝撃を吸収して潜水浮きの左右側ハウジングの破損を防止することができ、また重量体として鉛を使わないので、海水の汚染を防止することができるという優れた効果がある。
【図面の簡単な説明】
【００４０】
【図１】一般的な潜水浮きを利用して海釣りを行う状態を概略的に示した図面である。
【図２】従来の海釣り用潜水浮きを示した斜視図である。
【図３】図２の縦断面図である。
【図４】本考案の一実施例による海釣り用潜水浮きを概略的に示した斜視図である。
【図５】本考案の一実施例による海釣り用潜水浮きにおいて右側ハウジング内に重量体が配設された状態を示した斜視図である。
【図６】本考案の一実施例による海釣り用潜水浮きを分解して示した分解斜視図である。
【図７】本考案の他の実施例による海釣り用潜水浮きを示した斜視図である。
【符号の説明】
【００４１】
１００  潜水浮き              １０１  左側ハウジング
１０１ａ  収容溝              １０２  右側ハウジング
１０２ａ  収容溝              １０３、１０４  凹溝
１１０  液状充填材            １２０  重量体
１３０  掛止孔                 １４０補強環
１５０ａ,  １５０ｂ  フランジ
１６０  補助掛止孔
【図１】
0003101643.tif 000003
【図２】
0003101643.tif 000004
【図３】
0003101643.tif 000005
【図４】
0003101643.tif 000006
【図５】
0003101643.tif 000007
【図６】
0003101643.tif 000008
【図７】
0003101643.tif 000009